(57)【要約】【課題】  従来のモザイク画像生成装置は、モザイク画像を生成するために専用のアプリケーションソフト等を利用する必要がある。【解決手段】  メモリカード３０に記憶された撮影画像４２ａ〜４２ｅについて算出手段により算出された代表色が、元画像４１を複数の区画に分割した分割元画像について算出手段により算出された代表色に対応する場合、分割元画像と等しい大きさにされた撮影画像４２ａ〜４２ｅが分割元画像と置換されて、元画像４１のモザイク画像４４がモザイク画像生成手段により生成される。このため、デジタルカメラ１自体がモザイク生成機能を有するため、モザイク画像４４を生成するための専用のアプリケーションソフト等を利用する必要もなく、デジタルカメラ１のみを用いて手軽にモザイク画像４４を生成できるようになる。従って、デジタルカメラ１自体に対する愛着心が増すようになる。【選択図】  図３
2013172322.tif 000002
【特許請求の範囲】
【請求項１】
画像を撮像する撮像手段と、
前記撮像手段により撮像された撮影画像を記憶手段に記録する記録手段と、
画像を象徴する代表色または画像の構成色を平均化した代表色を所定の色空間で算出する算出手段と、
前記記憶手段に記憶された撮影画像について前記算出手段により算出された代表色が、元画像を複数の区画に分割した分割元画像について前記算出手段により算出された代表色に対応する場合、前記分割元画像と等しい大きさにした前記撮影画像を前記分割元画像と置換して前記元画像のモザイク画像を生成するモザイク画像生成手段と
を備える撮影装置。
【請求項２】
請求項１に記載の撮影装置において、
前記分割元画像について前記算出手段により算出された代表色に対応する代表色を有する前記撮影画像が前記記憶手段に記憶されていない場合、前記モザイク画像を生成するために必要な前記撮影画像の代表色に関する情報を報知する報知手段を備えることを特徴とする撮影装置。
【請求項３】
請求項１または請求項２に記載の撮影装置において、
前記モザイク画像生成手段は、前記撮影画像を複数の区画に分割して生成した分割撮影画像について前記算出手段により算出された代表色が、前記分割元画像について前記算出手段により算出された代表色に対応する場合、前記分割元画像と等しい大きさにした前記分割撮影画像を前記分割元画像と置換して前記モザイク画像を生成することを特徴とする撮影装置。
【請求項４】
請求項１から請求項３のいずれか１項に記載の撮影装置において、
前記モザイク画像生成手段は、前記元画像の隣接する複数の区画を構成する前記分割元画像群について前記算出手段により算出された各代表色の組合せパターンが、前記撮影画像を複数の区画に分割して生成した分割撮影画像群について前記算出手段により算出された各代表色の組合せパターンに対応する場合、前記分割元画像群と等しい大きさにした前記撮影画像を前記分割元画像群と置換して前記モザイク画像を生成することを特徴とする撮影装置。
【請求項５】
請求項１から請求項４のいずれか１項に記載の撮影装置において、
前記算出手段は、前記撮影画像が前記記録手段によって前記記憶手段に記録される前に前記撮影画像について代表色を算出し、
前記モザイク画像生成手段は、前記撮影画像について前記算出手段により算出された代表色が、前記分割元画像について前記算出手段により算出された代表色に対応する場合、前記撮影画像を前記記録手段によって前記記憶手段に記録させずに前記分割元画像と置換して前記モザイク画像を生成することを特徴とする撮影装置。
【請求項６】
請求項１から請求項５のいずれか１項に記載の撮影装置において、
前記記憶手段は、特定の色パターンを有する画像または単一色から成る画像を記憶していることを特徴とする撮影装置。
【発明の詳細な説明】
【技術分野】
【０００１】
本発明は、撮像手段により撮像された撮影画像を記憶手段に記録する記録手段を備えた撮影装置に関する。
【背景技術】
【０００２】
従来、この種の撮影装置により撮像された画像等のような素材画像からモザイク画像を生成する装置として、例えば、特許文献１に開示されたモザイク画像生成装置がある。このモザイク画像生成装置は、コンピュータで構築され、モザイク画像の元となる対象画像を複数ブロックに分割し、分割したブロックに素材画像を配置してモザイク画像を生成する。分割したブロックに素材画像を配置する際、分割したブロック内の各基本色（例えば、赤、緑、青）の平均濃度値を目標濃度値として算出し、素材画像の各基本色の濃度値分布率を保持しつつ、素材画像に関し算出される各基本色の平均濃度値が配置するブロックに関し決定される各基本色の目標濃度値となるように、素材画像が色補正される。素材画像が配置先のブロックの色調に応じてこのように色補正されることで、素材画像の配置は任意に決定することができる。
【先行技術文献】
【特許文献】
【０００３】
【特許文献１】特開２００９−１７１１５８号公報
【発明の概要】
【発明が解決しようとする課題】
【０００４】
しかしながら、上記従来のモザイク画像生成装置は、モザイク画像を生成するために、計算のためのコンピュータや、モザイク画像を生成する各種ツールをインターネット網を介して取得するための通信手段、専用のアプリケーションソフト等を利用する必要がある。このため、撮影装置だけでモザイク画像を手軽に生成することはできなかった。また、モザイク画像を構成する素材画像を色補正した場合、素材画像が自ら撮影した画像から変わってしまい、生成されたモザイク画像に対する愛着心が薄れて、興趣に欠けてしまう。
【０００５】
また、モザイク画像を生成する素材画像が足りない場合、インターネットのウェブサイトにアップロードされた写真等を用いると、自ら撮影した撮影画像を使ってモザイク画像を生成した場合と比べて、生成されたモザイク画像に対する愛着が湧かない。また、自分で撮影した写真だけを使用してモザイク画像を作成する場合、どのような色彩の写真を撮影したら良いかの指標が無く、モザイク画像が容易に得られない。
【課題を解決するための手段】
【０００６】
本発明はこのような課題を解決するためになされたもので、
画像を撮像する撮像手段と、
撮像手段により撮像された撮影画像を記憶手段に記録する記録手段と、
画像を象徴する代表色または画像の構成色を平均化した代表色を所定の色空間で算出する算出手段と、
記憶手段に記憶された撮影画像について算出手段により算出された代表色が、元画像を複数の区画に分割した分割元画像について算出手段により算出された代表色に対応する場合、分割元画像と等しい大きさにした撮影画像を分割元画像と置換して元画像のモザイク画像を生成するモザイク画像生成手段と
を備えて、撮影装置を構成した。
【０００７】
本構成によれば、記憶手段に記憶された撮影画像について算出手段により算出された代表色が、元画像を複数の区画に分割した分割元画像について算出手段により算出された代表色に対応する場合、分割元画像と等しい大きさにされた撮影画像が分割元画像と置換されて、元画像のモザイク画像がモザイク画像生成手段により生成される。このため、撮影装置自体がモザイク生成機能を有するため、モザイク画像を生成するためのコンピュータや通信手段、専用のアプリケーションソフト等を利用する必要もなく、撮影装置のみを用いて手軽にモザイク画像を生成できるようになる。従って、撮影装置自体に対する愛着心が増すようになる。また、モザイク画像を構成する画像は、従来の色補正等の加工された画像ではなく、撮影画像そのものであるため、モザイク画像に対する愛着心が薄れることもない。
【０００８】
また、本発明は、分割元画像について算出手段により算出された代表色に対応する代表色を有する撮影画像が記憶手段に記憶されていない場合、モザイク画像を生成するために必要な撮影画像の代表色に関する情報を報知する報知手段を備えることを特徴とする。
【０００９】
本構成によれば、分割元画像について算出手段により算出された代表色に対応する代表色を有する撮影画像が記憶手段に記憶されていない場合、モザイク画像を生成するために必要な撮影画像の代表色に関する情報が報知手段により報知されるため、撮影者は、自分で撮影した撮影画像を使用してモザイク画像を作成する場合、どのような色彩の写真を撮影したら良いかの指標を知ることができる。このため、この指標に従って画像を撮影することにより、撮影画像から成るモザイク画像を容易に作成できる。また、モザイク画像を生成するために必要な撮影画像が足りない場合、従来のように撮影者が自ら撮影した撮影画像と無関係な画像を用いることなく、報知された指標に従って撮影者が自ら撮影した撮影画像だけを用いてモザイク画像が生成されるので、モザイク画像に対する愛着が増すようになる。また、撮影者は、モザイク画像を生成するために必要な撮影画像の代表色に関する情報の報知に従って、モザイク画像の生成に必要な撮影画像をコレクションするようにゲーム感覚で撮影して集めるため、撮影者は撮影に夢中になり、撮影の興趣が増す。
【００１０】
また、本発明は、モザイク画像生成手段が、撮影画像を複数の区画に分割して生成した分割撮影画像について算出手段により算出された代表色が、分割元画像について算出手段により算出された代表色に対応する場合、分割元画像と等しい大きさにした分割撮影画像を分割元画像と置換してモザイク画像を生成することを特徴とする。
【００１１】
本構成によれば、撮影画像を複数の区画に分割して生成した分割撮影画像について算出手段により算出された代表色が、分割元画像について算出手段により算出された代表色に対応する場合、分割元画像と等しい大きさにされた分割撮影画像が分割元画像と置換されて、モザイク画像がモザイク画像生成手段により生成される。このため、モザイク画像を生成するために必要な撮影画像が足りない場合でも、撮影画像を複数の区画に分割した分割撮影画像を用いることにより、モザイク画像を生成するために必要な画像が簡単に補充できるようになる。この際、撮影画像を複数の区画に分割した分割撮影画像も、撮影者が自ら撮影した撮影画像であるため、生成されたモザイク画像に対する愛着心が薄れることはない。
【００１２】
また、本発明は、モザイク画像生成手段が、元画像の隣接する複数の区画を構成する分割元画像群について算出手段により算出された各代表色の組合せパターンが、撮影画像を複数の区画に分割して生成した分割撮影画像群について算出手段により算出された各代表色の組合せパターンに対応する場合、分割元画像群と等しい大きさにした撮影画像を分割元画像群と置換してモザイク画像を生成することを特徴とする。
【００１３】
本構成によれば、元画像の隣接する複数の区画を構成する分割元画像群について算出手段により算出された各代表色の組合せパターンが、撮影画像を複数の区画に分割して生成した分割撮影画像群について算出手段により算出された各代表色の組合せパターンに対応する場合、分割元画像群と等しい大きさにされた撮影画像が分割元画像群と置換されて、モザイク画像がモザイク画像生成手段により生成される。このため、本構成によっても、モザイク画像を生成するために必要な撮影画像が足りない場合、撮影画像を複数の区画に分割した分割撮影画像群の各代表色の組合せパターンを用いることにより、モザイク画像を生成するために必要な画像が簡単に補充できるようになる。また、元画像の１区画の分割元画像が１枚の撮影画像と置換されたり、複数区画の分割元画像からなる分割画像群がまとめて１枚の撮影画像と置換されたりするため、生成されたモザイク画像を構成する撮影画像は不規則な大きさとなり、モザイク画像に対する面白味が増す。
【００１４】
また、本発明は、算出手段が、撮影画像が記録手段によって記憶手段に記録される前に撮影画像について代表色を算出し、
モザイク画像生成手段が、撮影画像について算出手段により算出された代表色が、分割元画像について算出手段により算出された代表色に対応する場合、撮影画像を記録手段によって記憶手段に記録させずに分割元画像と置換してモザイク画像を生成することを特徴とする。
【００１５】
本構成によれば、撮影画像について算出手段により算出された代表色が、分割元画像について算出手段により算出された代表色に対応する場合、撮影画像が記録手段によって記憶手段に記録されずに分割元画像と置換されて、モザイク画像がモザイク画像生成手段により生成される。このため、撮影された撮影画像の中には、記憶手段に記憶されずに直ちに分割元画像と置換されるものがあり、撮影された全ての撮影画像が記憶手段に記録されるのではないため、記憶手段の記憶容量が節約される。また、撮影直後に、撮影された撮影画像からモザイク画像が生成されるので、撮影の興趣が増す。
【００１６】
また、本発明は、記憶手段が、特定の色パターンを有する画像または単一色から成る画像を記憶していることを特徴とする。
【００１７】
本構成によれば、特定の色パターンを有する画像または単一色から成る画像が記憶手段に記憶されているため、モザイク画像を生成するために必要な撮影画像が足りない場合でも、愛着心を低減させる他人が撮影した画像などを用いることなく、特定の色パターンを有する画像または単一色から成る画像を用いることにより、モザイク画像を生成するために必要な画像を簡単に補充できる。
【発明の効果】
【００１８】
本発明による撮影装置によれば、上記のように、撮影装置自体がモザイク生成機能を有するため、モザイク画像を生成するためのコンピュータや通信手段、専用のアプリケーションソフト等を利用する必要もなく、撮影装置のみを用いて手軽にモザイク画像を生成できるようになる。従って、撮影装置自体に対する愛着心が増すようになる。また、モザイク画像を構成する画像は、従来の色補正等の加工された画像ではなく、撮影画像そのものであるため、モザイク画像に対する愛着心が薄れることもない。
【図面の簡単な説明】
【００１９】
【図１】（ａ）は本発明の一実施の形態によるデジタルカメラの外観の概略を示す正面斜視図、（ｂ）は背面斜視図である。
【図２】図１に示すデジタルカメラの電気回路構成の概略を示すブロック図である。
【図３】図１に示すデジタルカメラにおいて、元画像の分割元画像を撮影画像のサムネイル画像と置換してモザイク画像を生成する際に用いられる画像の図である。
【図４】図１に示すデジタルカメラの変形例の構成において、元画像の隣接する複数の区画を構成する分割元画像群を撮影画像と置換してモザイク画像を生成する際に用いられる画像の図である。
【発明を実施するための形態】
【００２０】
次に、本発明による撮影装置をデジタルカメラに適用した場合における、本発明を実施するための一形態について説明する。
【００２１】
図１（ａ）は、この一実施の形態によるデジタルカメラ１の外観の概略を示す正面斜視図である。
【００２２】
デジタルカメラ１は、カメラボディ２と、このカメラボディ２の前面に設けられた撮影用のレンズ３とから構成される。カメラボディ２の正面から見て左側には、撮影時に撮影者によって握られるグリップ部４が設けられている。このグリップ部４の上面には、撮影用のシャッターボタンであるレリーズボタン５が設けられている。このレリーズボタン５の右方のカメラボディ２の上面には、操作されるとデジタルカメラ１の内部の各回路に動作電源を供給させる電源ボタン６が設けられている。また、カメラボディ２の正面から見て右上側には、被写体が暗い場合に明るさを確保するためのフラッシュ７が備えられている。
【００２３】
図１（ｂ）は、デジタルカメラ１の外観の概略を示す背面斜視図である。なお、同図（ｂ）において図１（ａ）と同一部分には同一符号を付してその説明は省略する。
【００２４】
カメラボディ２の背面にはモニタ１１が設けられている。モニタ１１は、ＴＦＴ（Thin Film Transistor）液晶からなり、構図を確認するためのスルー画や、撮影情報などの各種情報を表示すると共に、撮影した画像を再生表示する。モニタ１１の表面にはタッチパネル機能を有するタッチパネル１２が配置されている。撮影者によるモニタ１１に対するタッチ操作は、タッチパネル１２により検出される。
【００２５】
モニタ１１の右側には、ズームボタン１３および十字ボタン１４が配置されている。ズームボタン１３は、モニタ１１に表示される撮影画像を拡大、縮小表示させる際などに操作される。十字ボタン１４は、上下方向および左右方向といった操作方向を検出する方向キーからなり、デジタルカメラ１の各種設定を行うメニュー画面において、種々の設定項目の中から所望の設定項目を選択する際などに操作される。十字ボタン１４の中央には決定ボタン１５が設けられている。決定ボタン１５は、十字ボタン１４の操作によって選択された所望の設定項目を決定する際などに操作される。また、これらのボタンは、モニタ１１に表示されているメニュー画面などにおいて、モニタ１１のタッチパネル操作で代用することもできる。
【００２６】
図２は、デジタルカメラ１の電気回路構成の概略を示すブロック図である。
【００２７】
デジタルカメラ１は、ＣＰＵ（Central Processing Unit）２１、ＥＥＰＲＯＭ（Electrically Erasable Programmable Ｒead Ｏnly Ｍemory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行い、デジタルカメラ１の種々の装置機能を作動させる。
【００２８】
被写体からの光は、光学系を構成するレンズ３を介してデジタルカメラ１内に取り込まれる。デジタルカメラ１内に取り込まれた被写体光は、ＣＣＤ（Charge Coupled Device）やＣＭＯＳ（Complementary Metal Oxide Semiconductor）などからなる撮像部２５の撮像面２５ａ上に被写体像を投影する。ＣＰＵ２１には測光センサ３１が接続されている。測光センサ３１によって撮影時に被写体光が測光されることにより、露出値が自動的に算出され、絞りやシャッタースピードが自動的に制御されて、ＡＥ（自動露出）制御が行われる。また、ＣＰＵ２１にはレリーズボタン５が接続されている。レリーズボタン５は、半押しされるとオートフォーカス機能を作動させてレンズ３を移動させ、全押しされると設定されたシャッター速度で図示しないシャッターを開かせ、被写体像を撮像部２５の撮像面２５ａに所定時間露光させて被写体の撮影を行わせる。撮像部２５は、被写体像の画像を撮像する撮像手段を構成する。撮像部２５の撮像面２５ａ上に結像した被写体像は、アナログの撮像信号に変換される。変換された撮像信号は、Ａ／Ｄ変換部２６においてデジタル信号に変換される。画像処理部２７は、Ａ／Ｄ変換部２６でデジタル信号に変換された撮像信号をバス２８を介して取得し、取得した撮像信号に対して、ホワイトバランス処理やガンマ補正などの画像処理を行い、撮影された画像の画像データを生成する。画像処理部２７によって生成された画像データは、圧縮処理が施されてバッファメモリ２３に一時格納されると共に、Ｉ／Ｆ部２９を介して、図示しないスロットに着脱される、記憶手段を構成するメモリカード３０に記録される。ＣＰＵ２１は、撮像手段により撮像された撮影画像をメモリカード３０に記録する記録手段を構成する。また、ＣＰＵ２１は、モニタ１１に、撮像部２５の撮像面２５ａで撮像される被写体像をスルー画として表示させる。モニタ１１の表示領域に対して行われるタッチ操作は、ＣＰＵ２１に接続されたタッチパネル１２によって検出される。タッチ操作が検出されると、タッチパネル１２からタッチ操作検出信号が出力され、タッチ操作により入力される情報がＣＰＵ２１に送出される。
【００２９】
また、本実施形態では、ＣＰＵ２１は、元画像からモザイク画像を作成する処理を行う。この処理工程は、撮影・準備工程およびモザイク画像作成工程から成る。これらの工程は必ずしも連続的に進行する必要はなく、同時であったり、順番が入れ替わったりしてもよい。撮影・準備工程においては、モザイク画像を作成するために必要な素材画像を得るために撮影者によって撮影が行われ、撮影画像およびその代表色情報がメモリカード３０に保存される。撮影画像の代表色は、撮影画像の象徴的・中心的な色を示し、本実施形態では、撮影画像を構成する各画素のＲ（赤）、Ｇ（緑）、Ｂ（青）から成る３原色がＣＰＵ２１により平均化されて算出される。モザイク画像作成工程においては、ＣＰＵ２１により、モザイク画像の元となる元画像が複数の区画に分割されて、分割された各分割元画像の象徴的・中心的な色を示す代表色がＣＰＵ２１により同様にして算出される。算出された分割元画像の代表色がメモリカード３０に保存された撮影画像の代表色と一致する場合、この撮影画像を分割元画像と置換することにより、モザイク画像が生成される。ここで、ＣＰＵ２１は、画像の構成色を平均化した代表色を所定の色空間、本実施形態ではＲ、Ｇ、Ｂから成る３原色の色空間で算出する算出手段を構成する。また、ＣＰＵ２１は、メモリカード３０に記憶された撮影画像について算出手段により算出された代表色が、元画像を複数の区画に分割した分割元画像について算出手段により算出された代表色に対応する場合、分割元画像と等しい大きさにした撮影画像を分割元画像と置換して元画像のモザイク画像を生成するモザイク画像生成手段を構成する。
【００３０】
図３は、同図（ａ）に示す元画像４１の図示しない分割元画像を、同図（ｃ）〜（ｇ）に示す撮影者が撮影した撮影画像４２ａ〜４２ｅを縮小したサムネイル画像４３ａ〜４３ｅと置換して、同図（ｂ）に示すモザイク画像４４を生成する際に用いられる画像の図である。
【００３１】
モザイク画像４４を生成するモザイク画像作成工程において、同図（ａ）に示す撮影者が撮影した元画像４１がＣＰＵ２１により等分割に分割されて、不図示の分割元画像が生成される。次に、生成された各分割元画像の平均化された色を示す代表色が、ＣＰＵ２１により算出される。例えば、各分割元画像ごとに、各画素の各Ｒ、Ｇ、Ｂの色合いを示すＲ値、Ｇ値、Ｂ値が各々足し合わされた後、各分割元画像の画素数で割られることにより、各分割元画像の３原色で表現された平均値が算出され、この平均値が各分割元画像の代表色とされる。
【００３２】
一方、撮影・準備工程において、同図（ｃ）〜同図（ｇ）に示すように、撮影者が撮影した撮影画像４２ａ〜４２ｅから、撮影画像４２ａ〜４２ｅを縮小したサムネイル画像４３ａ〜４３ｅが生成される。その後、上述した算出手段によりサムネイル画像４３ａ〜４３ｅの各代表色が算出され、サムネイル画像４３ａ〜４３ｅとその代表色とが互いに関連付けられて、対でメモリカード３０に記録される。なお、サムネイル画像４３ａ〜４３ｅの代わりに直接、撮影画像４２ａ〜４２ｅの各代表色が算出手段により算出され、この算出された各代表色がサムネイル画像４３ａ〜４３ｅの代表色とされる構成にしてもよい。
【００３３】
次に、モザイク画像作成工程において、ＣＰＵ２１により、元画像４１の各分割画像の代表色と同じ代表色を有するサムネイル画像４３ａ〜４３ｅがメモリカード３０の中から見つけ出された場合、この見つけ出されたサムネイル画像４３ａ〜４３ｅが、各分割元画像と同じ大きさに拡大・縮小された後、各分割元画像と次々に置換されることにより、同図（ｂ）に示すモザイク画像４４が作成される。
【００３４】
このような本実施形態によるデジタルカメラ１によれば、メモリカード３０に記憶された撮影画像４２ａ〜４２ｅについて算出手段により算出された代表色が、元画像４１を複数の区画に分割した分割元画像について算出手段により算出された代表色に対応する場合、分割元画像と等しい大きさにされた撮影画像４２ａ〜４２ｅのサムネイル画像４３ａ〜４３ｅが分割元画像と置換されて、元画像４１のモザイク画像４４がモザイク画像生成手段により生成される。このため、デジタルカメラ１自体がモザイク生成機能を有するため、モザイク画像４４を生成するためのコンピュータや通信手段、専用のアプリケーションソフト等を利用する必要もなく、デジタルカメラ１のみを用いて手軽にモザイク画像４４を生成できるようになる。従って、デジタルカメラ１自体に対する愛着心が増すようになる。また、モザイク画像４４を構成する画像は、従来の色補正等の加工された画像ではなく、撮影画像そのものであるため、モザイク画像４４に対する愛着心が薄れることもない。
【００３５】
なお、上述した実施形態では、撮影画像４２ａ〜４２ｅのサムネイル画像４３ａ〜４３ｅと分割元画像とを１対１で対応させて置換してモザイク画像４４を生成したが、以下に述べる変形例のように、撮影画像と分割元画像とを必ずしも１対１で対応させずにモザイク画像を生成する構成であってもよい。また、１枚の撮影画像を上述したように平均化することで１個の代表色が生成されるが、例えば、容量の大きい外部ハードディスクを用いる場合や、将来において記憶容量の制約が緩和されたより容量の大きいメモリカード３０などを用いる場合に、この代表色を複数個にすることで、複雑な代表色を持つ素材画像を用意することができて、有用である。
【００３６】
図４は、図１に示すデジタルカメラ１の変形例の構成において、元画像の隣接する複数の区画を構成する分割元画像群を撮影画像５３、５９と置換してモザイク画像を生成する際に用いられる画像の図である。
【００３７】
同図（ａ）は、元画像の各分割元画像の代表色を各区画に表示した代表色配置パターン５１を示した図である。同図（ｂ）は、同図（ａ）に示す代表色配置パターン５１における、元画像の隣接する４つの区画を構成する分割元画像群の各代表色の配置パターンを示した代表色配置パターン５２である。一方、同図（ｄ）は撮影画像５３であり、同図（ｃ）は、同図（ｄ）に示す撮影画像５３を４つの区画に分割し、分割した各区画について算出された各代表色の配置パターンを示した代表色配置パターン５４である。
【００３８】
この変形例では、モザイク画像を生成する際、同図（ｂ）に示す代表色配置パターン５２と同図（ｃ）に示す代表色配置パターン５４とが同じである場合、代表色配置パターン５２に対応する元画像の分割元画像群を同図（ｄ）に示す撮影画像５３を拡大または縮小して同じ大きさにしたものと置換することにより、モザイク画像が生成される。なお、分割元画像群を構成する元画像の隣接する複数の区画数や、撮影画像の分割する区画数は、４つに限らず、任意の値でよい。ここで、ＣＰＵ２１は、元画像の隣接する複数の区画を構成する分割元画像群について算出手段により算出された代表色配置パターン５２に示す各代表色の組合せパターンが、撮影画像５３を複数の区画に分割して生成した分割撮影画像群について算出手段により算出された代表色配置パターン５４に示す各代表色の組合せパターンに対応する場合、代表色配置パターン５２に対応する分割元画像群と等しい大きさにした撮影画像５３を代表色配置パターン５２に対応する分割元画像群と置換してモザイク画像を生成するモザイク画像生成手段を構成する。
【００３９】
同図（ｆ）は、撮影画像５５であり、同図（ｅ）は、同図（ｆ）に示す撮影画像５５を４つの区画に分割し、分割した各区画について算出された各代表色の配置パターンを示した代表色配置パターン５６である。同図（ｈ）は撮影画像５７であり、同図（ｇ）は、撮影画像５７の代表色を示した代表色配置パターン５８である。
【００４０】
上記の変形例で、モザイク画像を生成する際、同図（ｂ）に示す代表色配置パターン５２と同図（ｅ）に示す代表色配置パターン５６とが、代表色配置パターン５２の左上の代表色が白、代表色配置パターン５６の左上の代表色が黒であり、同じでない場合、撮影画像５５の左上の区画に、代表色が白である撮影画像５７を縮小して当てはめることにより、同図（ｉ）に示す補正された撮影画像５９が生成される。この場合、同図（ｂ）に示す代表色配置パターン５２と同図（ｉ）に示す補正された撮影画像５９の代表色配置パターンが同じであるので、代表色配置パターン５２に対応する分割元画像群を同図（ｉ）に示す補正された撮影画像５９と置換することにより、モザイク画像が生成される。
【００４１】
このような本変形例によるデジタルカメラ１によれば、元画像の隣接する複数の区画を構成する分割元画像群について算出手段により算出された代表色配置パターン５２のような各代表色の組合せパターンが、撮影画像５３を複数の区画に分割して生成した分割撮影画像群について算出手段により算出された代表色配置パターン５４のような各代表色の組合せパターンに対応する場合、代表色配置パターン５２に対応する分割元画像群と等しい大きさにされた撮影画像５３が代表色配置パターン５２に対応する分割元画像群と置換されて、モザイク画像がモザイク画像生成手段により生成される。このため、モザイク画像を生成するために必要な撮影画像が足りない場合、撮影画像を複数の区画に分割した分割撮影画像群の代表色配置パターン５４を用いることにより、モザイク画像を生成するために必要な画像が簡単に補充できるようになる。また、元画像の１区画の分割元画像が１枚の撮影画像と置換されたり、複数区画の分割元画像からなる分割画像群がまとめて１枚の撮影画像５３と置換されたりするため、生成されたモザイク画像を構成する撮影画像は不規則な大きさとなり、モザイク画像に対する面白味が増す。
【００４２】
また、同図（ｄ）に示す撮影画像５３を４分割して、分割された１枚の分割撮影画像の代表色と元画像の分割元画像の代表色とが等しい場合、この元画像の分割元画像を１枚の分割撮影画像と置換してモザイク画像を生成するように構成してもよい。この場合、ＣＰＵ２１は、撮影画像５３を複数の区画に分割して生成した分割撮影画像について算出手段により算出された代表色が、分割元画像について算出手段により算出された代表色に対応する場合、分割元画像と等しい大きさにした分割撮影画像を分割元画像と置換してモザイク画像を生成するモザイク画像生成手段を構成する。
【００４３】
本構成によれば、撮影画像５３を複数の区画に分割して生成した分割撮影画像について算出手段により算出された代表色が、分割元画像について算出手段により算出された代表色に対応する場合、分割元画像と等しい大きさにされた分割撮影画像が分割元画像と置換されて、モザイク画像がモザイク画像生成手段により生成される。このため、モザイク画像を生成するために必要な撮影画像が足りない場合でも、撮影画像５３を複数の区画に分割した分割撮影画像を用いることにより、モザイク画像を生成するために必要な画像が簡単に補充できるようになる。この際、撮影画像５３を複数の区画に分割した分割撮影画像も、撮影者が自ら撮影した撮影画像であるため、生成されたモザイク画像に対する愛着心が薄れることはない。
【００４４】
また、本実施形態および変形例では、所定の色空間としてＲ（赤）、Ｇ（緑）、Ｂ（青）からなる色空間を用いたが、Ｃｙ（シアン）、Ｍｇ（マゼンダ）、Ｙｅ（イエロー）、Ｇ（緑）等からなる他の色空間を用いてもよい。また、本実施形態および変形例では、算出手段により画像の代表色を算出する際、画像の構成色を平均化して代表色を算出していたが、画像を象徴する色を代表色として算出する構成にしてもよい。例えば、画像を構成する各画素の中でもっとも多く使用されている色が画像を象徴する色であると考えて、このもっとも多く使用されている色を代表色とする。
【００４５】
また、本実施形態および変形例では、撮像部２５により撮像された画像を用いて画像の代表色を算出する構成であったが、撮像部２５により実際に撮像される撮影画像に近い画角で撮像部２５よりも画素数の少ない例えば１００５画素程度の撮像素子を備えた測光センサ３１や、撮像部２５より低解像度の撮像素子を備えたライブビュー用のセンサを用いて撮像された画像を用いて、代表色を算出する構成であってもよい。これらの低解像度のセンサにより撮像された画像を用いて画像の代表色を算出することにより、デジタルカメラ１の処理を軽減できる。
【００４６】
また、撮影画像を元画像の分割元画像と置換してモザイク画像を生成する際、分割元画像の各代表色と同じ色の代表色を有する撮影画像がメモリカード３０に不足している場合、デジタルカメラ１のモニタ１１にパレットを表示させて、不足している代表色を強調して表示させてもよい。撮影者はこの表示に従って、不足している代表色を有する撮影画像を撮影することにより、モザイク画像を完成させることができる。また、分割元画像の各代表色と同じ輝度を有する撮影画像が不足している場合も、同様に不足している輝度をモニタ１１に表示させてもよい。これらの場合、モニタ１１およびＣＰＵ２１は、分割元画像について算出手段により算出された代表色に対応する代表色を有する撮影画像がメモリカード３０に記憶されていない場合、モザイク画像を生成するために必要な撮影画像の代表色に関する情報を報知する報知手段を構成する。
【００４７】
本構成によれば、分割元画像について算出手段により算出された代表色に対応する代表色を有する撮影画像がメモリカード３０に記憶されていない場合、モザイク画像を生成するために必要な撮影画像の代表色に関する情報が報知手段により報知されるため、撮影者は、自分で撮影した撮影画像を使用してモザイク画像を作成する場合、どのような色彩の写真を撮影したら良いかの指標を知ることができる。このため、この指標に従って画像を撮影することにより、撮影画像から成るモザイク画像を容易に作成できる。また、モザイク画像を生成するために必要な撮影画像が足りない場合、従来のように撮影者が自ら撮影した撮影画像と無関係な画像を用いることなく、報知された指標に従って撮影者が自ら撮影した撮影画像だけを用いてモザイク画像が生成されるので、モザイク画像に対する愛着が増すようになる。また、撮影者は、モザイク画像を生成するために必要な撮影画像の代表色に関する情報の報知に従って、モザイク画像の生成に必要な撮影画像をコレクションするようにゲーム感覚で撮影して集めるため、撮影者は撮影に夢中になり、デジタルカメラ１による撮影の興趣が増す。
【００４８】
また、算出手段を構成するＣＰＵ２１は、撮影画像が記録手段によってメモリカード３０に記録される前に撮影画像について代表色を算出し、モザイク画像生成手段を構成するＣＰＵ２１は、撮影画像について算出手段により算出された代表色が、分割元画像について算出手段により算出された代表色に対応する場合、撮影画像を記録手段によってメモリカード３０に記録させずに分割元画像と置換してモザイク画像を生成する構成にしてもよい。
【００４９】
本構成によれば、撮影画像について算出手段により算出された代表色が、分割元画像について算出手段により算出された代表色に対応する場合、撮影画像が記録手段によってメモリカード３０に記録されずに分割元画像と置換されて、モザイク画像がモザイク画像生成手段により生成される。このため、撮影された撮影画像の中には、メモリカード３０に記憶されずに直ちに分割元画像と置換されるものがあり、撮影された全ての撮影画像がメモリカード３０に記録されるのではないため、メモリカード３０の記憶容量が節約される。また、撮影直後に、撮影された撮影画像からモザイク画像が生成されるので、撮影の興趣が増す。
【００５０】
また、撮影画像のサムネイル画像を分割元画像と置換して元画像のモザイク画像を生成する際、撮影者がモザイク画像の生成に用いる撮影画像を自由に取捨選択できる構成にしてもよい。
【００５１】
また、本実施形態および変形例では、元画像を均等に分割して分割元画像を生成したが、元画像を均等に分割しなくてもよい。また、撮影画像を分割元画像と置換してモザイク画像を生成する際、撮影画像を重ねるように貼り付けたり、斜めに回転させて貼り付けたりすることにより、モザイク画像を生成する構成でもよい。
【００５２】
また、本実施形態および変形例では、モザイク画像を生成する際に用いられる元画像および撮影画像等のデータはメモリカード３０に記憶される構成であったが、このモザイク画像を生成する際に用いられるデータをデジタルカメラ１の外部ストレージに記憶させて、有線または無線を介してデジタルカメラ１に入力してモザイク画像を生成する構成でもよい。
【００５３】
また、モザイク画像を生成する際に、Ｒ８ビット、Ｇ８ビット、Ｂ８ビットの全ての組合せに対してその代表色を持つ撮影画像を用意する場合、約１６８０万種類の撮影画像が必要である。また、７ビットで約２１０万種類、６ビットで約２６万種類、５ビットで約３万種類、４ビットで４０９６種類、３ビットで５１２種類の撮影画像が必要となるが、これらの撮影画像をデジタルカメラ１のメモリカード３０に保存することを想定すると撮影画像の数が膨大になってしまう。従って、例えば、撮影画像の３原色のビット数を減らしたり、色識別の観点から近い色どうしの代表色を有する分割元画像を同一色の代表色を有する分割元画像とすることにより、デジタルカメラ１のメモリカード３０に記憶する撮影画像の容量を減らすことができる。
【００５４】
また、例えば、撮影された複数の撮影画像の中で同一アングルと思われる撮影画像が複数ある場合、そのうちの１つの撮影画像を用いて、モザイク画像を生成してもよい。また、撮影された複数の撮影画像から同一アングルと思われる撮影画像を決定する際、撮影画像がどれだけ違うと別アングルと判断するかを示すパラメータを用意しておき、撮影者が選択できる構成にしてもよい。また、撮影された複数の撮影画像の代表色を算出し、各代表色が少しの差分程度の相違しかない撮影画像を同一の撮影画像とみなす構成にしてもよい。この際、どれだけ差分があると同一とみなすのかのパラメータを用意しておき、撮影者が選択できる構成にしてもよい。
【００５５】
また、本実施形態では、撮影画像を分割元画像と置換してモザイク画像を生成する際、分割元画像の代表色と同じ色の代表色を有する撮影画像を重複して分割元画像と置換する回数に関して、特に制限を設けていなかったが、制限を設ける構成にしてもよい。また、同じ色の代表色を有する撮影画像を複数枚数ストックしておく構成にしてもよい。これらの構成の場合、モザイク画像を構成する撮影画像に同じ撮影画像が連続して表示されにくくなり、撮影者はモザイク画像をみてもモザイク画像に飽きにくくなる。
【００５６】
また、元画像からモザイク画像を生成するために、分割元画像と置換する撮影画像の撮影を始めて間もないとき、分割元画像の代表色と同じ色の代表色を有する撮影画像が不足しているため、すぐにモザイク画像を生成することができない場合がある。この不足している撮影画像を補うために、特定の色パターンを有する画像および単一色から成る画像などをメモリカード３０に記憶しておき、撮影画像の代わりにこれらの画像を分割元画像と置換してモザイク画像を生成する構成にしてもよい。
【００５７】
本構成によれば、特定の色パターンを有する画像および単一色から成る画像がメモリカード３０に記憶されているため、モザイク画像を生成するために必要な撮影画像が足りない場合でも、愛着心を低減させる他人が撮影した画像などを用いることなく、特定の色パターンを有する画像または単一色から成る画像を用いることにより、モザイク画像を生成するために必要な画像を簡単に補充できる。
【００５８】
また、本実施形態および変形例では、モザイク画像の元画像として撮影者が撮影した撮影画像を用いていたが、撮影者が撮影していない画像を用いてもよい。例えば、有名な絵画等の、デジタルカメラ１で撮影していない画像をカードや無線通信などを経由してデジタルカメラ１に転送し、転送された画像を元画像としてモザイク画像を生成してもよい。
【産業上の利用可能性】
【００５９】
上記実施形態においては、本発明の撮影装置をデジタルカメラに適用した場合について説明したが、ビデオカメラや、携帯電話機等に内蔵されるカメラ等のその他の撮影装置にも適用することが可能である。このような撮影装置に本発明を適用した場合においても、上記実施形態と同様な作用効果が奏される。
【符号の説明】
【００６０】
２１…ＣＰＵ
２５…撮像部
３０…メモリカード
４１…分割元画像
４２ａ〜４２ｅ…撮影画像
４３ａ〜４３ｅ…サムネイル画像
４４…モザイク画像
【図１】
2013172322.tif 000003
【図２】
2013172322.tif 000004
【図３】
2013172322.tif 000005
【図４】
2013172322.tif 000006